(57)【要約】【課題】テレオマイクロフォンの効率的な配置を目的とする撮像装置の提供。【解決手段】ステレオマイクロフォンをストロボ装置７の下面とレンズ鏡筒２の外周と前記ストロボ装置７の外形に接する第一接線１７と前記第一接線１７に並行且つ前記ストロボ装置７の外形に接する第二接線１８の間に設けられた空間１６に配置する事により、ステレオ音声のマイクロフォンを搭載しながら、撮像装置の小型化が成されたものを提供する事ができる。【選択図】      図１
2006279723.tif 000002
【特許請求の範囲】
【請求項１】
音声を入出力する電子素子を具備する撮像装置において、該撮像装置の略円筒形レンズ鏡筒部の第一接線と前記第一接線に略垂直で且つ、前記レンズ鏡筒部に接する第二接線と前記第一接線に略平行で前記第一接線と非同位置且つ前記レンズ鏡筒部に接する第三接線と前記第二接線に略平行で前記第二接線と非同位置且つ前記レンズ鏡筒部に接する第四接線と前記レンズ鏡筒部の外周に覆われた空間に前記電気素子を少なくとも一つ以上配置した事を特徴とする撮像装置。
【請求項２】
撮像装置において、ストロボ装置が、レンズ鏡筒部の略同心円上に配置されており、該ストロボ装置の外形に接する第一接線と前記第一接線と並行且つ前記ストロボ装置の外形に接する第二接線と前記レンズ鏡筒外周間に設けられた間隙に電気素子を配置した事を特徴とする請求項１に記載の撮像装置。
【請求項３】
前記電気素子は、音声を入力するマイクロフォンとする事を特徴とする請求項１又は２記載の撮像装置。
【請求項４】
前記電気素子は、音声を出力するスピーカーとする事を特徴とする請求項１又は２記載の撮像装置。
【請求項５】
前記ストロボ装置は、カメラ本体の上カバーに設けられたヒンジ部を回転中心にしてカメラ本体に対して昇降可能なストロボ装置（ポップアップ式ストロボ）であることを特徴とする請求項２記載の撮像装置。
【発明の詳細な説明】
【技術分野】
【０００１】
本発明は、音声を入出力する電子素子を具備する撮像装置に関するものである。
【背景技術】
【０００２】
近年、動画撮影可能なデジタルスチルカメラが増え、それに伴って、デジタルスチルカメラ本体内に音声を入力するマイクロフォンを有するものが増えている。さらには、動画撮影機能の向上により、従来のモノラル音声の入力だけではなく、ステレオ音声の入力が可能なデジタルスチルカメラが増加している。一方、ビデオカメラにおいては、ステレオ音声入力が行える装置が主流となっている。
【０００３】
また、デジタルスチルカメラの小型化に伴い、前記（ステレオ）マイクロフォンの効率的な配置が必要である。
【０００４】
ステレオマイクロフォンの技術として、例えば、特許文献１がある。該技術の電子装置は、対物レンズ周囲に１つのマイクロフォンを頂点としそれぞれ水平・垂直方向に１つずつマイクロフォンを配した３つのマイクロフォンと、それぞれのマイクロフォンの出力を増幅する増幅手段と、ＣＣＤ撮像手段の姿勢により前記増幅手段の出力を選択して左右音声信号として出力する音声信号処理手段とを有することを特徴とするビデオカメラ装置である。
【特許文献１】特開２０００−１６５７１８号公報
【発明の開示】
【発明が解決しようとする課題】
【０００５】
しかしながら、特許文献１は、撮像装置に姿勢の変化に応じマイクロフォンを切り替えてステレオ音声入力は開示されているが、デジタルスチルカメラの小型化におけるマイクロンフォンの効率的な配置構成は開示されていない。
【０００６】
本発明では、上記問題点に着目して、成されたものであって、その目的とするところは、デジタルスチルカメラ等の撮像装置において、マイクロフォンの効率的な配置構成を提供する事である。
【課題を解決するための手段】
【０００７】
上記目的を達成する為、本発明に係る第１の発明は、電子素子を用いて音声等を入出力する撮像装置に、該撮像装置の筒状のレンズ鏡筒部の第一接線と前記第一接線に略垂直で且つ、前記レンズ鏡筒部に接する第二接線と前記第一接線に略平行で前記第一接線と非同位置且つ前記レンズ鏡筒部に接する第三接線と前記第二接線に略平行で前記第二接線と非同位置且つ前記レンズ鏡筒部に接する第四接線と前記レンズ鏡筒部の外周に覆われた空間に前記電気素子を少なくとも一つ以上配置した事を特徴とする撮像装置である。
【０００８】
また、本発明の他の特徴とするところは、撮像装置において、被写体に向けて閃光を発光するストロボ装置が、レンズ鏡筒部の略同心円上に配置されており、該ストロボ装置と鏡筒との間に設けられた空間に前記電気素子を少なくとも一つ以上配置した事を特徴としている。
【発明の効果】
【０００９】
以上説明したように、本発明によれば、マイクロフォンをストロボ装置と鏡筒部の間隙に設けられた空間に配置する事により、ステレオ音声のマイクロフォンを搭載しながら、撮像装置の小型化が成されたものを提供する事ができる。
【発明を実施するための最良の形態】
【００１０】
以下、本発明の一実施例について図面を参照しながら説明する。
【実施例１】
【００１１】
図１は、本発明の実施例を示すデジタルスチルカメラの正面図、図２は、図１の角度を変えた斜視図、図３は、デジタルスチルカメラの背面図である。図４は、デジタルスチルカメラのストロボ装置がポップアップした時の正面図である。図５は、デジタルスチルカメラのフロンカバーを除いた正面図である。図６は、図５の斜視図である。図７は、デジタルスチルカメラのフロントカバーのみの斜視図である。図８は、デジタルスチルカメラの側面図である。
【００１２】
これらの図において、１は、録音装置を有するデジタルスチルカメラ本体である。２は、撮影光学系を構成しているレンズ鏡筒である。３は、動画撮影時に周りの音声を記録する為マイク等の音響素子が配設され設けられたステレオ音声入力するＲチャンネルのマイク穴である。３ａは、Ｒチャンネルのマイクフォンである。３ｂは、前記Ｒチャンネルマイクロンフォン３ａを保持する為のリブ形状である。４は、３と同様に動画撮影時に周りの音声を記録する為マイク等の音響素子が配設され設けられたステレオ音声入力するＬチャンネルのマイク穴である。４ａは、Ｌチャンネルのマイクフォンである。４ｂは、前記Ｌチャンネルマイクロンフォン４ａを保持する為のリブ形状である。
【００１３】
５は、写真撮影をする際、ＡＦが合いづらい暗い場面での撮影時に、自動的にＬＥＤを投光し、ＡＦの補助をするＡＦ補助光である。６は、撮影時の赤目を緩和させる為の赤目緩和ＬＥＤである。７は、写真撮影時の低照度の際に被写体に向けて閃光を発光するストロボ装置である。８は、絞り優先モード、シャッタースピード優先モード等の各種撮影モードを切り替えるためのモードダイヤル、９は、写真撮影を行う撮影モードと撮影した画像を閲覧する事ができる再生モードの撮影再生切り替えレバーであり、前記撮影切り替えレバーは、１０の略中心を軸として回動する事により、切り替えが可能である。また、前記撮影再生切り替えレバーを撮影モード又は再生モードのどちらかに回動する事によって、電源をＯＮする事ができる。１０は、電源をＯＦＦするための電源ＯＦＦボタンである。
【００１４】
１１は、写真撮影を行う為のレリーズボタンである。１２は、撮影する画角の調整を行うズームレバーである。１３は、動画撮影を開始するもしくは、動画撮影を終了する動画撮影ボタンである。１４は、撮影を行う際にスルー画像表示もしくは、撮影された画像の表示をするＬＣＤ表示部である。１５は、ストロボライトガイドである。
【００１５】
１６は、本実施形態においては、録音装置を有するデジタルスチルカメラに適用して説明するが、ビデオカメラやその他の録音可能な電子機器でも良い。
【００１６】
本実施形態に係るマイクロフォンの配置構成を説明する。
【００１７】
前記ストロボ装置７は、ストロボ装置の性能上及び、撮影時の被写体の赤目対策において、前記レンズ鏡筒２の光軸上から可能な限り距離を離して配置した方が良い。しかしながら、デジタルスチルカメラの小型化を達成しなくてはならない為、容易にストロボ装置７をレンズ鏡筒２の光軸上から距離を離して配置する事はできない。よって、デジタルスチルカメラを小型化するために、図１に示すようにストロボ装置７は、レンズ鏡筒２の略同心円上に配置されている。また、ストロボ装置７は、不図示の軸を中心として、回動可能であり、撮影時にはストロボ装置７が回動し、ストロボ装置７のライトガイド部１５が被写体側に対向する構成となっている（図４参照）。
【００１８】
上記のようなストロボ装置７とレンズ鏡筒２の構成をとることによって、デジタルスチルカメラを大型化することなく、ストロボ装置７の性能及び赤目対策に有効である。
【００１９】
また、ステレオマイクフォンは、ＬＲのステレオ感を出す為にレンズ鏡筒２の光軸を中心に略左右対称に配置する事が好ましい。また、ステレオマイクのＬＲを離して構成する場合、レンズ鏡筒２の光軸を中心として左右対称に配置する事が可能であるならば、外観上（デザイン上）も好ましい。
【００２０】
一方、前述のようにストロボ装置７とレンズ鏡筒２をストロボ装置７の閃光の光軸とレンズ鏡筒部２の光軸が同軸上に配置する構成にすると、前記ストロボ装置７と前記レンズ鏡筒２の間隙には、前記ストロボ装置７の下面と前記ストロボ装置７の外形に接する第一接線１７と前記第一接線１７に平行で且つ前記ストロボ装置７の外形に接する第二接線１８とレンズ鏡筒２の外周に覆われた空間１６が存在する。前記ストロボ装置７の下面と前記レンズ鏡筒２の外周と前記ストロボ装置７の外形に接する第一接線１７と前記第一接線１７に平行且つ前記ストロボ装置７の外形に接する第二接線１８の間に設けられた空間１６にステレオマイクフォン３ａ，４ｂを配置する事により、無駄な空間１６を有効利用する事によるスペース効率の向上になりデジタルスチルカメラ１の小型化を維持しながら且つ、ステレオマイクの性能向上及び外観上（デザイン上）の見栄えを良くする事ができる。
【００２１】
また、ストロボ装置７は前述のようにポップアップ式ストロボ装置となっており、ライトガイド部１５を保持している腕部７ａは、ストロボ装置７がポップアップ時に可能な限りレンズ鏡筒２の光軸から離す必要がある為（赤目緩和対策の為）にデジタルスチルカメラ１の厚み１ａより、長くした方がストロボ装置７の赤目対策に効率的で、未使用時はストロボ装置７のライトガイド部１５がフロントカバー前面より突出した形状となり（図８参照）、また、デジタルスチルカメラ１を小型化するために、ストロボ装置７は、レンズ鏡筒２の外周と前記ストロボ装置７の下面が近接する位置まで回動し、収納される。またレンズ鏡筒２もデジタルスチルカメラ１のフロントカバー前面より突出した形状（図８参照）になっている。
【００２２】
ステレオマイクロフォン３ａ，４ｂを搭載し、高倍率のレンズ鏡筒２を具備するデジタルスチルカメラ１の特徴として、次の事が言える。高倍率レンズ鏡筒２は、高倍率を実現する為に、レンズ鏡筒２の径は大きくなり、デジタルスチルカメラ１本体に占めるレンズ鏡筒２の割合が増える。また、高倍率の写真撮影を行う為に、ストロボ装置７も高倍率レンズ鏡筒２の性能に合わせたストロボ性能が必要となり、ストロボ装置７の幅７ｂが広くなる。また、デジタルスチルカメラを小型化する必要がある為、ストロボ装置７は、レンズ鏡筒２の略同心円上に配置し、且つストロボ装置７は、レンズ鏡筒２にストロボ光線がケラレの無いようにライトガイド１５を撮影時にポップアップするポップアップ式のストロボ装置となっている。その為、前述したようにレンズ鏡筒２とストロボ装置の間隙１６には、無駄な空間が発生してしまう。前記空間１６にステレオマイクフォン３ａ，４ｂを配置する事により、無駄な空間１６を有効利用する事によるスペース効率の向上になりデジタルスチルカメラ１の小型化を維持しながら且つ、ステレオマイクの性能向上及び外観上（デザイン上）の見栄えを良くする事ができる。
【００２３】
ステレオマイクロフォン３ａ，４ｂを搭載し、高倍率レンズ鏡筒２を具備するデジタルスチルカメラ１のその寸法関係の一例として次の事が言える。レンズ鏡筒２の径２ａが略５０〜６０ｍｍとなり、ストロボ装置７も高倍率にあわせた性能になるため、ストロボ装置７の幅７ｂは略３０〜３５ｍｍで、レンズ鏡筒２とストロボ装置の隙間２ｂは、ポップアップ機構を考慮した最小の隙間にであり、隙間２ｂは略３〜６ｍｍとなる。また、ステレオマイクロフォンの径は、略６ｍｍとなる。よって、前記ストロボ装置７の下面と前記レンズ鏡筒２の外周と前記ストロボ装置７の外形に接する第一接線１７と前記第一接線１７に平行且つ前記ストロボ装置７の第二接線１８の間に設けられた空間１６にステレオマイクロフォン３ａ，４ｂを配置する事が可能となる。
【００２４】
また、ステレオマイクロフォン３ａ，４ｂを配置した前記ストロボ装置７の下面と前記レンズ鏡筒２の外周と前記ストロボ装置７の外形に接する第一接線１７と前記第一接線１７に平行且つ前記ストロボ装置７の第二接線１８の間に設けられた空間１６は、最大隙間２ｃが略１０〜１５ｍｍ以下となり、通常の撮影者の指が１５ｍｍ以上あると考えられる事から、撮影者の指が前記空間１６に入りづらい寸法構成となってなる。それにより、ステレオマイクロフォン穴部分３，４に指が掛かりづらい構成である為に、音声を入力するマイクロフォンの穴を塞ぐ可能性が減り、音声入力を確実に行うことができる。
【００２５】
以上、説明したように本実施の形態によれば、前記ストロボ装置７の下面と前記レンズ鏡筒２の外周と前記ストロボ装置７の外形に接する第一接線１７と前記第一接線１７に並行且つ前記ストロボ装置７の外形に接する第二接線１８の間に設けられた空間１６にステレオマイクフォン３ａ，４ｂを配置することで、デジタルスチルカメラ１のステレオ音声の性能向上、ステレオマイクロフォンの効率的な配置によるデジタルスチルカメラ１の小型化、指のかかりづらいステレオマイクロフォンの配置による確実な音声入力を行う事ができる。
【００２６】
なお、本発明は、主にステレオマイクロフォンについて説明したが、前記ストロボ装置７の下面と前記レンズ鏡筒２の外周と前記ストロボ装置７の外形に接する第一接線１７と前記第一接線１７に平行且つ前記ストロボ装置７の外形に接する第二接線１８の間に設けられた空間１６に配置する音声入出力電気素子は、ステレオマイクロフォンに限らず、モノラルマイクロフォン、モノラルスピーカー、ステレオスピーカーでも良い事は言うまでもない。
【００２７】
また、本発明の構成は、デジタルスチルカメラ１において、ストロボ装置７が上方に、レンズ鏡筒２が下方に配置する構成となっているが、ストロボ装置７が下方、レンズ鏡筒２が上方や、もしくは、レンズ鏡筒２の同心円状にストロボ装置７が配置されている構成であっても、本発明と同じ効果が得られる。
【００２８】
また、本発明では、ストロボ装置７の中心軸とレンズ鏡筒２が中心軸が略同位置に配置されていたが、ストロボ装置７の中心軸がレンズ鏡筒２の中心軸とずれていても、ストロボ装置７とレンズ鏡筒２の間には、本発明で説明したように同様の空間が発生することにより、ストロボ装置７の中心軸とレンズ鏡筒２の中心軸がずれていても、本発明と同じ効果が得られる。
【００２９】
また、本発明では、ストロボ装置７の横幅が、レンズ鏡筒２の径より小さい構成となっているが、ストロボ装置７の横幅が、レンズ鏡筒２の径より大きくても、同じ効果が得られる。
【図面の簡単な説明】
【００３０】
【図１】本発明の実施例を示すデジタルスチルカメラの正面図
【図２】本発明の実施例を示すデジタルスチルカメラの斜視図
【図３】本発明の実施例を示すデジタルスチルカメラの背面図
【図４】本発明の実施例を示すデジタルスチルカメラのストロボポップアップ時の正面図
【図５】本発明の実施例を示すデジタルスチルカメラのフロンカバーを除いた正面図
【図６】本発明の実施例を示す図５の斜視図
【図７】本発明の実施例を示すデジタルスチルカメラのフロントカバーのみの斜視図
【図８】本発明の実施例を示すデジタルスチルカメラの側面図
【符号の説明】
【００３１】
１    デジタルスチルカメラ
１ａ  レンズ鏡筒、グリップを除いたデジタルスチルカメラの厚み
２    レンズ鏡筒
２ｂ  レンズ鏡筒２とストロボ装置７の最小隙間
２ｃ  レンズ鏡筒２とストロボ装置７の最大隙間
３    ステレオ音声入力するＲチャンネル
３ａ  Ｒチャンネルマイクロフォン
３ｂ  Ｒチャンネルマイクロフォンを保持するリブ
４    ステレオ音声入力するＬチャンネル
４ａ  Ｌチャンネルマイクロフォン
４ｂ  Ｌチャンネルマイクロフォンを保持するリブ
５    ＡＦ補助光
６    赤目緩和ＬＥＤ
７    ストロボ装置
７ａ  ストロボ装置の腕部の長さ
７ｂ  ストロボ装置７の幅
８    モードダイヤル
９    撮影再生切り替えレバー
１０  電源ＯＦＦボタン
１１  レリーズボタン
１２  ズームレバー
１３  動画撮影ボタン
１４  ＬＣＤ表示部
１５  ライトガイド
１６  ストロボ装置とレンズ鏡筒の間の空間
１７  ストロボ装置の外形線の第一延長線
１８  ストロボ装置の外形線の第二延長線
１９  レンズ鏡筒の第一接線
２０  レンズ鏡筒の第二接線
２１  レンズ鏡筒の第三接線
２２  レンズ鏡筒の第四接線
【図１】
2006279723.tif 000003
【図２】
2006279723.tif 000004
【図３】
2006279723.tif 000005
【図４】
2006279723.tif 000006
【図５】
2006279723.tif 000007
【図６】
2006279723.tif 000008
【図７】
2006279723.tif 000009
【図８】
2006279723.tif 000010